(57)【要約】【課題】着脱可能な外部記憶装置を転送機能における転送先として自動設定可能とすることによって転送機能の利便性の向上を図ることができる通信装置を提供する。【解決手段】ファクシミリ複合装置１において、接続検出部１１ａは、ＵＳＢメモリ２６が接続されているか否かを検出し、記憶部１７には、ＵＳＢメモリ２６を転送先として設定するか否かを示す転送先設定情報が記憶されている。転送制御部１１ｂは、接続検出部１１ａによってＵＳＢメモリ２６の接続が検出され、かつ記憶部１７の転送先設定情報がＵＳＢメモリ２６を転送先として設定することを示しているときは、受信した受信データをＵＳＢメモリ２６に転送する。これによって、受信データの転送機能における転送先の種類が増加し、転送機能の利便性の向上を図ることが可能となる。【選択図】図１
2008252344.tif 000002
【特許請求の範囲】
【請求項１】
外部記憶装置が着脱可能に接続される通信装置において、
受信手段と、
前記外部記憶装置が接続されているか否かを検出する接続検出手段と、
前記外部記憶装置を転送先として設定するか否かを示す転送先設定情報が記憶されている設定情報記憶手段と、
前記接続検出手段によって前記外部記憶装置の接続が検出され、かつ前記転送先設定情報が前記外部記憶装置を転送先として設定することを示しているときは、前記受信手段で受信した受信データを前記外部記憶装置に転送する転送制御手段と、を備えることを特徴とする通信装置。
【請求項２】
請求項１に記載の通信装置において、
前記転送制御手段は、前記外部記憶装置の接続が検出されないとき、又は前記転送先設定情報が前記外部記憶装置を転送先として設定しないことを示しているときは、予め定める転送先に受信データを転送することを特徴とする通信装置。
【請求項３】
請求項１又は請求項２に記載の通信装置において、
前記設定情報記憶手段には、ユーザごとに前記転送先設定情報が記憶されており、
前記転送制御手段は、前記受信データの受信者となるユーザを特定し、前記外部記憶装置の接続が検出され、かつ特定したユーザに対応する転送先設定情報が前記外部記憶装置を転送先として設定することを示しているときは、前記受信データを前記外部記憶装置に転送することを特徴とする通信装置。
【請求項４】
請求項１ないし請求項３のいずれかに記載の通信装置において、
前記受信手段は、前記受信データとしてファクリミリ又はインターネットファクシミリを受信することを特徴とする通信装置。
【請求項５】
請求項１に記載の通信装置において、
前記受信手段の前記受信データには、原稿から読み取った画像データが含まれることを特徴とする通信装置。
【請求項６】
請求項５に記載の通信装置において、
前記設定情報記憶手段には、ユーザごとに前記転送先設定情報が記憶され、
前記転送制御手段は、前記接続検出手段によって前記外部記憶装置の接続が検出され、かつログイン時に所定の操作手段から入力されたユーザ情報に基づいて判別したユーザに対応する前記転送先設定情報が前記外部記憶装置を転送先として設定することを示しているときは、前記受信データとしての前記画像データを前記外部記憶装置に転送することを特徴とする通信装置。
【請求項７】
請求項１ないし請求項６のいずれかに記載の通信装置において、
前記外部記憶装置は、ＵＳＢメモリであることを特徴とする通信装置。
【発明の詳細な説明】
【技術分野】
【０００１】
本発明は、外部記憶装置が着脱可能に接続された通信装置に関し、さらに詳しくは、受信データの転送機能を備える通信装置に関する。
【背景技術】
【０００２】
近年、ＵＳＢメモリやＳＤカードのように、機器に対して着脱可能に接続されると共に、異なる機器間で共通に使用することができる外部記憶装置が普及している。例えば、パーソナルコンピュータ（ＰＣ）で文書作成や表作成などのデータ作成作業を行う場合、作業を中断するときに作成途中の文書データや表データなどの作成データをＵＳＢメモリに記憶させれば、データのバックアップを容易に実行することが可能である。さらに、作成データが記憶されているＵＳＢメモリを別のＰＣに接続して作成データを読み出せば、別のＰＣでデータ作成作業を続行することも可能である。
【０００３】
また、ＰＣだけでなく、ファクシミリ複合装置においてもＵＳＢメモリ等の外部記憶装置が着脱可能に接続できる装置が提案されている（例えば特許文献１参照）。
【０００４】
ところで、ファクシミリ複合装置には、ファクシミリ受信した受信データの転送機能が備えられたものがある。転送機能とは、ユーザが設定した転送先に受信データを送信する機能である。転送先としては、ファクシミリ複合装置内のメモリ（フォルダ）、別のファクシミリ装置、ＰＣなどを設定することができる。
【特許文献１】特開２００６−１４０６４４号公報
【発明の開示】
【発明が解決しようとする課題】
【０００５】
ＵＳＢメモリ等の着脱可能な外部記憶装置は、着脱可能である点が特徴であるので、常にファクシミリ複合装置に接続されている訳ではない。つまり、ＵＳＢメモリは、ユーザが必要なときに接続され、ユーザによる作業等が終了して不要になると取り外される。そのため、従来の転送機能を備えたファクシミリ複合装置では、ＵＳＢメモリ等の着脱可能な外部記憶装置を転送先として設定することができるようには構成されていない。
【０００６】
そこで、本発明の解決すべき課題は、着脱可能な外部記憶装置を転送機能における転送先として自動設定可能とすることによって転送機能の利便性の向上を図ることができる通信装置を提供することである。
【課題を解決するための手段】
【０００７】
上記の課題を解決するため、請求項１の発明では、外部記憶装置が着脱可能に接続される通信装置において、受信手段と、前記外部記憶装置が接続されているか否かを検出する接続検出手段と、前記外部記憶装置を転送先として設定するか否かを示す転送先設定情報が記憶されている設定情報記憶手段と、前記接続検出手段によって前記外部記憶装置の接続が検出され、かつ前記転送先設定情報が前記外部記憶装置を転送先として設定することを示しているときは、前記受信手段で受信した受信データを前記外部記憶装置に転送する転送制御手段とを備える。
【０００８】
また、請求項２の発明では、請求項１の発明に係る通信装置において、前記転送制御手段は、前記外部記憶装置の接続が検出されないとき、又は前記転送先設定情報が前記外部記憶装置を転送先として設定しないことを示しているときは、予め定める転送先に受信データを転送する。
【０００９】
また、請求項３の発明では、請求項１又は請求項２の発明に係る通信装置において、前記設定情報記憶手段には、ユーザごとに前記転送先設定情報が記憶されており、前記転送制御手段は、前記受信データの受信者となるユーザを特定し、前記外部記憶装置の接続が検出され、かつ特定したユーザに対応する転送先設定情報が前記外部記憶装置を転送先として設定することを示しているときは、前記受信データを前記外部記憶装置に転送する。
【００１０】
また、請求項４の発明では、請求項１ないし請求項３のいずれかの発明に係る通信装置において、前記受信手段は、前記受信データとしてファクリミリ又はインターネットファクシミリを受信する。
【００１１】
また、請求項５の発明では、請求項１の発明に係る通信装置において、前記受信手段の前記受信データには、原稿から読み取った画像データが含まれる。
【００１２】
また、請求項６の発明では、請求項５の発明に係る通信装置において、前記設定情報記憶手段には、ユーザごとに前記転送先設定情報が記憶され、前記転送制御手段は、前記接続検出手段によって前記外部記憶装置の接続が検出され、かつログイン時に所定の操作手段から入力されたユーザ情報に基づいて判別したユーザに対応する前記転送先設定情報が前記外部記憶装置を転送先として設定することを示しているときは、前記受信データとしての前記画像データを前記外部記憶装置に転送する。
【００１３】
また、請求項７の発明では、請求項１ないし請求項６のいずれかの発明に係る通信装置において、前記外部記憶装置は、ＵＳＢメモリである。
【発明の効果】
【００１４】
請求項１に記載の発明によれば、外部記憶装置が接続されており、かつその外部記憶装置が転送先として設定されているときは、受信手段による受信データは外部記憶装置へ転送されて記憶される。これによって、受信データの転送機能における転送先の種類が増加し、転送機能の利便性の向上を図ることが可能となる。また、外部記憶装置を転送先として設定するか否かの切換えは、転送先設定情報を書き換えるだけで行うことができるので、転送先の切換えを容易に行うことができる。さらに、外部記憶装置は取り外して移動させることができるので、受信データを他の装置で使用する際の利便性が向上する。
【００１５】
請求項２に記載の発明によれば、外部記憶装置の接続が検出されないとき、又は前記外部記憶装置が転送先として設定されていないときは、予め定める転送先に受信データが転送される。したがって、外部記憶装置が転送先として設定されていても、外部記憶装置が接続されていないときは、受信データは予め定める転送先に転送されることになる。これによって、外部記憶装置を接続するか否かで受信データの転送先を切り換えることができるようになるので、転送機能の利便性が向上する。
【００１６】
請求項３に記載の発明によれば、ユーザごとに転送先設定情報が記憶されているので、外部記憶装置を転送先として設定するか否かをユーザごとに設定することができる。すなわち、発信元情報などに基づいて受信データの受信者となるユーザが特定され、特定されたユーザが外部記憶装置を転送先として設定しており、かつ外部記憶装置が接続されているときは、受信データは外部記憶装置に転送される。一方、特定されたユーザが外部記憶装置を転送先として設定していなければ、受信データは外部記憶装置には転送されない。このように、ユーザごとに異なる転送処理を実行することが可能となり、転送機能の利便性が向上する。
【００１７】
請求項４に記載の発明によれば、着脱可能な外部記憶装置を、受信したファクシミリ又はインターネットファクシミリの転送先として自動設定可能とすることによって、ファクシミリ又はインターネットファクシミリの転送機能の利便性の向上が図れる。
【００１８】
請求項５に記載の発明によれば、着脱可能な外部記憶装置を、読み取った画像データの転送先として自動設定可能とすることによって、読取・保存機能の利便性の向上が図れる。
【００１９】
請求項６に記載の発明によれば、ユーザごとに転送先設定情報が記憶されているので、外部記憶装置を読み取った画像データの転送先として設定するか否かをユーザごとに設定することができる。また、ログイン操作に伴って入力されたユーザ情報に基づき、そのログイン中のユーザが自動的に判別され、そのユーザの転送先設定情報により転送先として外部記憶装置が設定されている場合には、読取画像データが自動的に外部記憶装置に転送されるようになっている。このため、予め転送先設定情報を所望の内容に登録しておくことにより、外部記憶装置の接続の有無により読取・保存処理時に画像データの転送先を切替操作する必要がなく、便利である。
【００２０】
請求項７に記載の発明によれば、転送先に用いる着脱可能な外部記憶装置として、コンパクトで、着脱時の操作性がよく持ち運びも容易なＵＳＢメモリを用いることにより、さらなる利便性の向上が図れる。
【発明を実施するための最良の形態】
【００２１】
図１は、本発明の一実施形態に係る通信装置としてのファクシミリ複合装置１の構成を示すブロック図である。ファクシミリ複合装置１は、外部記憶装置としてのＵＳＢメモリ２６が着脱可能に接続されるように構成されている。
【００２２】
ファクシミリ複合装置１の機能には、プリンタ機能、ファクシミリ機能、インターネットファクシミリ機能、コピー機能、及びスキャナ機能等が含まれている。またファクシミリ複合装置１は、ネットワーク（例えばＬＡＮ）２２を介してパーソナルコンピュータなどの複数の外部処理装置３１と接続され、外部処理装置３１からの指示によっても、上記の各機能を実行することが可能である。
【００２３】
ファクシミリ複合装置１は、図１に示すように、制御部１１と、該制御部１１にバス１２を介して接続された記録部１３、読取部１４、表示部１５、操作部１６、設定情報記憶手段としての記憶部１７、モデム１８、ＮＣＵ（Network Control Unit）１９、ネットワーク通信部２０、及びＵＳＢ端子２５を備えている。
【００２４】
制御部１１は、このファクシミリ複合装置１の制御を統括するものであり、ＣＰＵ等を備えて構成されている。この制御部１１には、機能要素として、接続検出手段としての接続検出部１１ａ及び転送制御手段としての転送制御部１１ｂが備えられている。この接続検出部１１ａ及び転送制御部１１ｂの機能等については後に詳述する。
【００２５】
記録部１３は、例えば電子写真方式のプリンタ装置であり、外部処理装置３１から与えられた印刷データ、読取部１４によって読み取られた画像データ、ファクシミリ受信した画像データ等を記録紙等に印刷する。読取部１４は、原稿の読み取りを行うものであり、ファクシミリ送信時の原稿の読み取りや、コピー機能及びスキャナ機能使用時の原稿の読み取り等に用いられる。
【００２６】
表示部１５は、液晶表示装置等によって構成され、このファクシミリ複合装置１の操作情報等の表示に用いられる。操作部１６は、複数の操作ボタンやタッチパネル等によって構成され、このファクシミリ複合装置１の操作に用いられる。
【００２７】
記憶部１７は、ＲＯＭ、ＲＡＭ等の記憶装置を備えて構成されている。ＲＯＭには、制御部１１が実行する制御プログラム等が記憶されている。ＲＡＭには、外部処理装置３１から送信された印刷データ、ファクシミリ機能使用時にＮＣＵ１９を介して送受信されたファクシミリの送受信画像データ、コピー機能やスキャナ機能使用時に読み取られた画像データ、及びファクシミリ複合装置１の設定や保守管理等に関するデータ等が含まれている。
【００２８】
より詳細には、記憶部１７には、ＵＳＢメモリ２６を転送先として設定するか否かを示すＵＳＢ転送先設定情報が記憶される。このＵＳＢ転送先設定情報は、ＵＳＢメモリ２６を転送先として設定するときは「ＯＮ」に設定され、転送先として設定しないときは「ＯＦＦ」に設定される。ＵＳＢ転送先設定情報の「ＯＮ」・「ＯＦＦ」の書換えは、ユーザが操作部１６を操作して行う。
【００２９】
モデム１８は、ファクシミリ通信が可能なファクシミリモデムから構成されている。また、モデム１８は、ＮＣＵ１９と直接接続されている。ＮＣＵ１９は、アナログの公衆電話回線網（ＰＳＴＮ）２１との回線の閉結及び開放の動作を行うハードウェアであり、必要に応じてモデム１８を公衆電話回線網２１と接続する。なお、ＩＳＤＮ用インターフェースを備えることによって、デジタル回線網（ＩＳＤＮ）に接続するようにしてもよい。
【００３０】
ネットワーク通信部２０は、ネットワーク（ＬＡＮ及びインターネット等の外部ネットワーク）２２を介したデータ通信を担っている。より詳細には、ネットワーク通信部２０には、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部２０の具体的な機能としては、電子メールの送受、電子メールに画像データを添付して送受するインターネットファクシミリの送受、及び、ＬＡＮ又はインターネットを介したデータの送受等が含まれている。
【００３１】
ファクシミリ複合装置１は、ファクシミリ、インターネットファクシミリ、及び電子メールによってデータを受信することが可能であるので、モデム１８、ＮＣＵ１９及びネットワーク通信部２０が受信手段に相当する。
【００３２】
制御部１１の接続検出部１１ａは、ＵＳＢ端子２５にＵＳＢメモリ２６が接続されているか否かを検出する。転送制御部１１ｂは、接続検出部１１ａの検出結果及び上述の記憶部１７に登録されたＵＳＢ転送先設定情報の内容（ＯＮ／ＯＦＦ）に従って転送処理を制御するものである。
【００３３】
図２は、転送処理の動作設定内容を示す表である。ＵＳＢメモリ２６が接続されており、ＵＳＢ転送先設定情報が「ＯＮ」のときは、ＵＳＢメモリ２６への転送処理が行われる。一方、ＵＳＢメモリ２６が接続されていても、ＵＳＢ転送先設定情報が「ＯＦＦ」のときは、他転送処理（ユーザが予め設定した転送先への転送処理）が行われる。また、ＵＳＢメモリ２６が接続されていないときも、他転送処理が行われる。この転送処理の処理動作について以下に詳述する。
【００３４】
図３は、受信データの転送処理を実行する際のファクシミリ複合装置１の処理動作を示すフローチャートである。この処理は、例えばファクシミリ、インターネットファクシミリ、電子メール等の受信動作の開始と共に開始される。
【００３５】
ステップＳ１では、ファクシミリ、インターネットファクシミリ、又は電子メールが受信されて、受信データが記憶部１７に一旦格納される。
【００３６】
ステップＳ２では、転送制御部１１ｂは、接続検出部１１ａの検出結果に基づいてＵＳＢメモリ２６が接続されているか否かを判断する。ＵＳＢメモリ２６が接続されていると判断した場合は、ステップＳ３に進み、ＵＳＢメモリ２６が接続されていないと判断した場合は、ステップＳ５に進む。
【００３７】
ステップＳ３では、転送制御部１１ｂは、記憶部１７のＵＳＢ転送先設定情報がＯＮであるか否かを判断する。ＵＳＢ転送先設定情報がＯＮであると判断した場合は、ステップＳ４に進み、ＯＦＦであると判断した場合は、ステップＳ５に進む。
【００３８】
ステップＳ４では、転送制御部１１ｂは、記憶部１７に格納されている受信データをＵＳＢメモリ２６へ転送して格納させる。
【００３９】
一方、ステップＳ５では、転送制御部１１ｂは、記憶部１７に格納されている受信データに対して他転送処理を実行する。他転送処理とは、ユーザによって予め設定された転送先へ受信データを転送する処理である。ここでの転送先とは、例えば受信データ用フォルダ（記憶部１７に設定された受信データ用記憶領域）、他のファクシミリ装置、外部処理装置３１などである。
【００４０】
以上のように本実施形態によれば、ＵＳＢメモリ２６が接続されており、かつＵＳＢメモリ２６が転送先として設定されているときは、受信データはＵＳＢメモリ２６へ転送されて格納される。これによって、受信データの転送機能における転送先の種類が増加し、転送機能の利便性の向上を図ることが可能となる。また、ＵＳＢメモリ２６を転送先として設定するか否かの切換えは、ＵＳＢ転送先設定情報を書き換えるだけで行うことができるので、転送先の切換えを容易に行うことができる。さらに、ＵＳＢメモリ２６は取り外して移動させることができるので、受信データを他の装置で使用する際の利便性が向上する。
【００４１】
また、ＵＳＢメモリ２６の接続が検出されないとき、又はＵＳＢメモリ２６が転送先として設定されていないときは、予め定める転送先に受信データが転送される。したがって、ＵＳＢメモリ２６が転送先として設定されていても、ＵＳＢメモリ２６が接続されていないときは、受信データは予め定める転送先に転送されることになる。これによって、ＵＳＢメモリ２６を接続するか否かで受信データの転送先を切り換えることができるようになるので、転送機能の利便性が向上する。
【００４２】
また、ＵＳＢメモリ２６を、受信したファクシミリ、インターネットファクシミリ又は電子メールの転送先として自動設定可能とすることによって、ファクシミリ、インターネットファクシミリ又は電子メールの転送機能の利便性の向上が図れる。
【００４３】
また、転送先に用いる着脱可能な外部記憶装置として、コンパクトで、着脱時の操作性がよく持ち運びも容易なＵＳＢメモリ２６を用いることにより、さらなる利便性の向上が図れる。
【００４４】
他の実施形態として、ＵＳＢ転送先設定情報を、ユーザごとに記憶部１７に記憶させるようにしてもよい。この場合は、転送制御部１１ｂは、受信データが受信されたとき、その受信データの受信者となるユーザを特定する。このユーザの特定は、例えば受信データの発信元情報とユーザとの対応関係を予め記憶しておき、この対応関係を参照することによって実行することができる。ユーザが特定されると、転送制御部１１ｂは、ＵＳＢメモリ２６が接続されているか否かを判断すると共に、特定されたユーザに対応するＵＳＢ転送先設定情報を参照して、ＵＳＢメモリ２６が転送先として設定されているか否かを判断する。
【００４５】
ＵＳＢメモリ２６が接続されており、特定されたユーザによってＵＳＢメモリ２６が転送先として設定されているときは、転送制御部１１ｂは、受信データをＵＳＢメモリ２６へ転送して格納させる。
【００４６】
一方、ＵＳＢメモリ２６の接続が検出されていないとき、又は特定されたユーザによってＵＳＢメモリ２６が転送先として設定されていないときは、転送制御部１１ｂは、予め定める転送先に受信データを転送する。
【００４７】
このように本実施形態では、ユーザごとに異なる転送処理を実行することが可能となり、転送機能の利便性が向上する。
【００４８】
さらに他の実施形態として、ファクシミリ複合装置１は、複数のＵＳＢメモリ２６を接続できる構成であってもよい。この場合は、転送制御部１１ｂは、ユーザとＵＳＢメモリ２６との対応関係を予め記憶しておく。この対応関係は、ＵＳＢメモリ２６を接続したときに、ユーザが操作部１６からユーザ情報を入力することによって転送制御部１１ｂに記憶される。また、接続検出部１１ａは、ＵＳＢメモリ２６ごとに接続されているか否かを検出し、記憶部１７は、ユーザごとにＵＳＢ転送先設定情報を記憶する。
【００４９】
そして、受信データが受信されると、転送制御部１１ｂは、その受信データの発信元情報等を利用して受信者となるユーザを特定する。ユーザが特定されると、転送制御部１１ｂは、特定されたユーザに対応するＵＳＢメモリ２６が接続されているか否かを判断すると共に、特定されたユーザに対応するＵＳＢ転送先設定情報を参照して、ＵＳＢメモリ２６が転送先として設定されているか否かを判断する。
【００５０】
特定されたユーザに対応するＵＳＢメモリ２６が接続されており、特定されたユーザによってＵＳＢメモリ２６が転送先として設定されているときは、転送制御部１１ｂは、受信データを特定されたユーザに対応するＵＳＢメモリ２６へ転送して格納させる。
【００５１】
一方、特定されたユーザに対応するＵＳＢメモリ２６の接続が検出されていないとき、又は特定されたユーザによってＵＳＢメモリ２６が転送先として設定されていないときは、転送制御部１１ｂは、予め定める転送先に受信データを転送する。
【００５２】
このように本実施形態においても、ユーザごとに異なる転送処理を実行することが可能となり、転送機能の利便性が向上する。
【００５３】
さらに他の実施形態として、受信手段として読取部１４を用い、読取部１４が原稿から読み取った受信データとしての画像データの転送先を、ＵＳＢメモリ２６の着脱に応じて、ＵＳＢ転送先設定情報に基づいて自動的に切り替えるようにしてもよい。これによって、ＵＳＢメモリ２６を、読み取った画像データの転送先として自動設定可能とすることによって、読取・保存機能の利便性の向上が図れる。
【００５４】
また、この実施形態の場合にも、ＵＳＢ転送先設定情報を、ユーザごとに記憶部１７に記憶させるようにしてもよい。この場合は、転送制御部１１ｂは、接続検出部１１ａによってＵＳＢメモリ２６の接続が検出され、かつログイン時に操作部１６から入力されたユーザ情報（例えば、ユーザ名等）に基づいて判別したユーザに対応するＵＳＢ転送先設定情報がＵＳＢメモリ２６を転送先として設定することを示しているときは、読取部１４によって読み取られた画像データをＵＳＢメモリ２６に転送するようになっている。一方、転送制御部１１ｂは、接続検出部１１ａによってＵＳＢメモリ２６の接続が検出されていない場合、又はログイン時に操作部１６から入力されたユーザ情報（例えば、ユーザ名等）に基づいて判別したユーザに対応するＵＳＢ転送先設定情報がＵＳＢメモリ２６を転送先として設定することを示していないときは、読取部１４によって読み取られた画像データを通常の転送先（例えば、ネットワーク２２内の所定の共有フォルダ）に転送するようになっている。
【００５５】
このような構成とすることにより、ユーザごとにＵＳＢ転送先設定情報が記憶されているので、ＵＳＢメモリ２６を読み取った画像データの転送先として設定するか否かをユーザごとに設定することができる。また、ログイン操作に伴って入力されたユーザ情報に基づき、そのログイン中のユーザが自動的に判別され、そのユーザのＵＳＢ転送先設定情報により転送先としてＵＳＢメモリ２６が設定されている場合には、読取画像データが自動的にそのＵＳＢメモリ２６に転送されるようになっている。このため、予めＵＳＢ転送先設定情報を所望の内容に登録しておくことにより、ＵＳＢメモリ２６の接続の有無により読取・保存処理時に画像データの転送先を切替操作する必要がなく、便利である。
【００５６】
上記各実施形態では、着脱可能な外部記憶装置としてＵＳＢメモリ２６を使用する場合を説明したけれども、ＳＤカードや外付けのハードディスク装置のように、ファクシミリ複合装置１に対して着脱可能に接続される外部記憶装置であれば、同様に使用することができる。
【図面の簡単な説明】
【００５７】
【図１】本発明の一実施形態に係る通信装置としてのファクシミリ複合装置のブロックである。
【図２】ファクシミリ複合装置における転送処理の動作設定内容を示す表である。
【図３】受信データの転送処理を実行する際のファクシミリ装置の処理動作を示すフローチャートである。
【符号の説明】
【００５８】
１  ファクシミリ複合装置
１１  制御部
１１ａ  接続検出部
１１ｃ  転送制御部
１４  読取部
１６  操作部
１７  記憶部
１８  モデム
１９  ＮＣＵ
２０  ネットワーク通信部
２５  ＵＳＢ端子
２６  ＵＳＢメモリ
【図１】
2008252344.tif 000003
【図２】
2008252344.tif 000004
【図３】
2008252344.tif 000005